(57)【要約】【課題】着信応答しなかった場合に、誰からの着信があったかを瞬時に認識できる留守番電話機能付きテレビ電話装置を提供すること。【解決手段】表示部１５０と、発信相手に関する画像、又は／及び発信相手から受信した画像又は動画メッセージを記憶する記憶部１７０と、通信制御手段１１１と、を備え、発信相手からの画像又は動画メッセージを前記通信制御手段によって受信し、表示部に表示するテレビ電話装置１００であって、テレビ電話装置は留守番機能制御手段１１５を備え、留守番機能制御手段１１５は、着信に対する非応答時に、記憶部１７０に記憶された発信相手に関する画像５１０、発信相手から受信した動画メッセージ５１０を取得して表示部１５０に新着表示として表示する。【選択図】図５
2012156914.tif 000002
【特許請求の範囲】
【請求項１】
表示部と、発信してきた相手先に関する画像、又は／及び発信してきた相手先から受信した画像又は動画メッセージを記憶する記憶部と、通信制御手段と、を備え、前記発信してきた相手先からの画像又は動画メッセージを前記通信制御手段によって受信し、前記表示部に表示するテレビ電話装置であって、
前記テレビ電話装置は留守番機能制御手段を備え、
前記留守番機能制御手段は、前記着信に対する非応答時に、前記記憶部に記憶された発信してきた相手先に関する画像、又は／及び発信してきた相手先から受信した動画メッセージを取得して前記表示部に新着表示として表示することを特徴とする留守番電話機能付きテレビ電話装置。
【請求項２】
前記テレビ電話装置は、着信時に発信してきた相手先からの呼び信号に含まれる発信してきた相手先の電話番号を取得するデータ制御手段を備え、前記記憶部には、電話番号とそれに関連付けられた画像が電話帳として予め記憶され、
着信時に、前記データ制御手段は、着信信号から前記発信してきた相手先の電話番号を取得し、前記留守番機能制御手段は、前記着信に対する非応答時に、前記記憶部の電話帳の中から前記電話番号に関連付けられて記憶された前記画像を取得して前記表示部に新着表示として表示することを特徴とする請求項１に記載の留守番電話機能付きテレビ電話装置。
【請求項３】
前記留守番機能制御手段は、前記着信に対する非応答時に、前記通信制御手段によって受信した前記発信してきた相手先からの動画メッセージを記憶し、前記動画メッセージの少なくとも一部を前記表示部に新着表示として表示することを特徴とする請求項１に記載の留守番電話機能付きテレビ電話装置。
【請求項４】
前記留守番機能制御手段は、前記記憶部に記憶された動画メッセージから静止画像を生成して前記表示部に新着表示として表示することを特徴とする請求項３に記載の留守番電話機能付きテレビ電話装置。
【請求項５】
前記留守番機能制御手段は、前記画像又は／及び前記動画メッセージと前記電話番号を関連付けて記憶し、前記表示部に新着表示として前記画像或いは前記動画メッセージを表示する際に、前記電話番号をともに表示することを特徴とする請求項１〜４の何れかに記載の留守番電話機能付きテレビ電話装置。
【請求項６】
前記留守番機能制御手段は、複数の着信に対して非応答であった場合に、前記記憶部に前記非応答の着信電話番号それぞれに関連付けられて記憶された画像又は動画を取得して前記表示部に新着表示として並べて表示することを特徴とする請求項１〜５の何れかに記載の留守番電話機能付きテレビ電話装置。
【請求項７】
前記留守番機能制御手段は、複数の着信に対して非応答であった場合に、前記記憶部に前記非応答の着信電話番号それぞれに関連付けられて記憶された画像又は動画を取得して前記表示部に新着表示として順に表示することを特徴とする請求項１〜５の何れかに記載の留守番電話機能付きテレビ電話装置。
【発明の詳細な説明】
【技術分野】
【０００１】
本発明は、ＩＰ電話網等に接続されて音声及び映像の送受信を行うテレビ電話装置に関し、特に、発信を行ってきた相手（以下、「発信相手」という）からの呼びに対して自動応答する留守番電話機能、及び発信相手からの用件メッセージの記録機能を備えた留守番電話機能付きテレビ電話装置に関する。
【背景技術】
【０００２】
電話機能の一つとして、番号通知サービス機能がある。これは、電話の着信時に発信相手の電話番号を着信時の呼び信号に含めることによって、受信側の電話装置のディスプレイに発信相手の電話番号を表示できるようにしたものである。ユーザは、電話に出る際に、ディスプレイに表示された発信相手の電話番号を視認することによって、発信相手が誰なのかを把握することができる。
【０００３】
しかしながら、着信時にユーザが応答する前に回線が切断された場合や着信時にユーザが不在のためディスプレイに表示された発信相手の電話番号を視認しなかった場合には、誰からの着信なのか判別することができないという不都合があった。
【０００４】
そこで、下記特許文献１（特開平８−１６７９３４号公報）は、着信応答前に回線が切断されたことを検出し、その発信者番号と着信時刻を含む着信情報を記憶手段に記憶し、第１の表示手段に着信情報の有無を表示するとともに第２の表示手段に着信情報を表示する発信者番号記憶電話機を開示している。さらに、下記特許文献1では、発信者番号に対応する識別文字情報（発信者の名前等）をメモリから検索して第２の表示手段に表示する。
【０００５】
この電話機によれば、留守等により着信応答できない場合や、着信後ユーザがディスプレイを視認したり応答したりする前に切断された電話であっても、着信のあった発信者番号や発信者の情報を確実に認識することが可能となる。
【０００６】
また、留守等のために着信応答できなかった場合に、発信相手からの用件メッセージを受信して記録する留守番電話機能を備えた電話装置もある。
【０００７】
下記特許文献２（特開平６−２６１３１１号公報）は、留守中にかかってきた電話の発信者からの伝言メッセージ及び動画データをそれぞれ記憶し、受信者が再生モードにすると、記憶されている全発信者の静止画像を取出して表示部にサムネイル表示する留守番電話機能付きテレビ電話を開示している。これにより、ユーザは留守中にかかってきた電話の発信者、その要件を瞬時に知ることができるようになる。
【先行技術文献】
【特許文献】
【０００８】
【特許文献１】特開平８−１６７９３４号公報
【特許文献２】特開平６−２６１３１１号公報
【発明の概要】
【発明が解決しようとする課題】
【０００９】
しかしながら、上記特許文献１の電話機では着信があったことを識別することができるとともにその発信者番号や発信者の情報を知ることはできても、それは文字表示であるために、ユーザは発信者を直ちに識別することはできなかった。また、番号通知サービスに加入していなければ、発信者を特定できないという不都合もあった。さらに、上記特許文献２の電話機では、応答しなかった発信者の一覧表示を視認するためには、再生モードに切替えなければならず、電話機を操作することなく誰からの着信があったのか直ちに識別することは難しかった。また、発信者が伝言メッセージや動画データを残さなかった場合には誰からの着信があったか把握することができないという不都合もあった。
【００１０】
そこで、本発明の目的は、着信応答しなかった場合に、誰からの着信があったかを瞬時に認識できる留守番電話機能付きテレビ電話装置を提供することである。さらに、発信者が用件メッセージを残した場合にも、誰からの用件メッセージが残されているのかを瞬時に認識できる留守番電話機能付きテレビ電話装置を提供することである。
【課題を解決するための手段】
【００１１】
上記課題を解決するために本発明の留守番電話機能付きテレビ電話装置は、表示部と、発信してきた相手先に関する画像、又は／及び発信してきた相手先から受信した画像又は動画メッセージを記憶する記憶部と、通信制御手段と、を備え、前記発信してきた相手先からの画像又は動画メッセージを前記通信制御手段によって受信し、前記表示部に表示するテレビ電話装置であって、前記テレビ電話装置は留守番機能制御手段を備え、前記留守番機能制御手段は、前記着信に対する非応答時に、前記記憶部に記憶された発信してきた相手先に関する画像、又は／及び発信してきた相手先から受信した動画メッセージを取得して前記表示部に新着表示として表示することを特徴とする。
【００１２】
また、本発明の留守番電話機能付きテレビ電話装置の一態様は、前記テレビ電話装置は、着信時に発信してきた相手先からの呼び信号に含まれる発信してきた相手先の電話番号を取得するデータ制御手段を備え、前記記憶部には、電話番号とそれに関連付けられた画像が電話帳として予め記憶され、着信時に、前記データ制御手段は、着信信号から前記発信してきた相手先の電話番号を取得し、前記留守番機能制御手段は、前記着信に対する非応答時に、前記記憶部の電話帳の中から前記電話番号に関連付けられて記憶された前記画像を取得して前記表示部に新着表示として表示することを特徴とする。
【００１３】
また、本発明の留守番電話機能付きテレビ電話装置の一態様は、前記留守番機能制御手段は、前記着信に対する非応答時に、前記通信制御手段によって受信した前記発信してきた相手先からの動画メッセージを記憶し、前記動画メッセージの少なくとも一部を前記表示部に新着表示として表示することを特徴とする。
【００１４】
また、本発明の留守番電話機能付きテレビ電話装置の一態様は、前記留守番機能制御手段は、前記記憶部に記憶された動画メッセージから静止画像を生成して前記表示部に新着表示として表示することを特徴とする。
【００１５】
また、本発明の留守番電話機能付きテレビ電話装置の一態様は、前記留守番機能制御手段は、前記画像又は／及び前記動画メッセージと前記電話番号を関連付けて記憶し、前記表示部に新着表示として前記画像或いは前記動画メッセージを表示する際に、前記電話番号をともに表示することを特徴とする。
【００１６】
また、本発明の留守番電話機能付きテレビ電話装置の一態様は、前記留守番機能制御手段は、複数の着信に対して非応答であった場合に、前記記憶部に前記非応答の着信電話番号それぞれに関連付けられて記憶された画像又は動画を取得して前記表示部に新着表示として並べて表示することを特徴とする。
【００１７】
また、本発明の留守番電話機能付きテレビ電話装置の一態様は、前記留守番機能制御手段は、複数の着信に対して非応答であった場合に、前記記憶部に前記非応答の着信電話番号それぞれに関連付けられて記憶された画像又は動画を取得して前記表示部に新着表示として順に表示することを特徴とする。
【発明の効果】
【００１８】
本発明は、以下に説明する優れた効果を発揮する。すなわち、本発明の留守番電話機能付きテレビ電話装置は、着信に対して応答しなかった場合には、記憶部に記憶されている発信してきた相手先に関する画像や発信してきた相手先から受信した動画メッセージを取得して表示部に新着表示として表示する。これにより、ユーザは画像又は動画として表示部に表示された新着表示を視認することができるようになり、誰からの着信或いは用件メッセージがあったかのか電話装置を操作することなく容易に認識することが可能となる。
【００１９】
また、本発明の留守番電話機能付きテレビ電話装置の一態様によれば、電話帳に予め電話番号と画像を関連付けて記憶しておく。そして、着信時に発信相手からの呼び信号に含まれる発信相手の電話番号を取得するとともに、着信に対して応答しなかった場合には、着信のあった電話番号に関連づけられた画像を取得して表示部に新着表示として表示する。これにより、発信相手が用件メッセージを残さなかった場合や、応答前に着信が切断された場合であっても、電話帳に登録された相手であれば画像で新着表示がなされるようになるので、ユーザは、誰からの着信があったのか電話装置を操作することなく容易に認識することが可能となる。
【００２０】
また、本発明の留守番電話機能付きテレビ電話装置の一態様によれば、着信に対して応答しなかった場合には、発信相手からの動画メッセージを用件メッセージとして受信し、電話番号に関連付けて記憶する。さらに、記憶した動画メッセージの少なくとも一部を表示部に新着表示として表示するので、ユーザは、誰からの用件メッセージが記憶されているのか電話装置を操作することなく容易に認識することができる。さらに、電話帳等に登録されていない発信相手であっても、動画メッセージの一部を表示することで、発信相手を識別することが可能となる。
【００２１】
また、本発明の留守番電話機能付きテレビ電話装置の一態様によれば、動画メッセージから静止画像を生成して表示部に新着表示として表示するので、動画を再生表示する場合に比して、テレビ電話装置において行われる演算処理の負荷を軽減できる。
【００２２】
また、本発明の留守番電話機能付きテレビ電話装置の一態様によれば、複数の着信があり、それらに対して応答しなかった場合、それぞれの非応答の着信に含まれる電話番号に関連付けて記憶された画像や動画をそれぞれ取得し、表示部に新着表示として並べて表示するので、ユーザは複数の発信相手のそれぞれについて電話装置を操作することなく容易に識別できるようになる。
【図面の簡単な説明】
【００２３】
【図１】本実施例のテレビ電話装置の内部ブロック図を示す。
【図２】本実施例のテレビ電話装置１００における新着表示動作のフローチャートである。
【図３】本実施例のテレビ電話装置１００において着信があった場合のテレビ電話装置とその表示画面の一例を示す図である。
【図４】本実施例のテレビ電話装置１００において着信があった場合のテレビ電話装置とその表示画面の他の例を示す図である。
【図５】本実施例のテレビ電話装置１００における新着表示時のテレビ電話装置とその表示画面の一例を示す図である。
【図６】本実施例のテレビ電話装置１００における新着表示時のテレビ電話装置とその表示画面の他の例を示す図である。
【発明を実施するための形態】
【００２４】
以下、本願発明を実施するための最良の形態を実施例及び図面を参照して詳細に説明する。ただし、以下に示す実施例は、本発明の技術思想を具体化するための留守番電話機能付きテレビ電話装置を例示して説明するものであって、本発明をこのテレビ電話装置に特定することを意図するものではなく特許請求の範囲に示した技術思想を逸脱することなくその他の留守番電話機能付きテレビ電話装置にも等しく適用し得るものである。
【実施例】
【００２５】
本実施例のテレビ電話装置１００は、有線ＬＡＮ（図示せず）に接続され、有線ＬＡＮは、ＩＰ電話ルータを介してＩＰ電話網に接続されている。ＩＰ電話網１０５には他のテレビ電話装置や音声電話装置が複数接続されている。
【００２６】
まず、図１を参照して本実施例のテレビ電話装置１００について説明する。なお、図１は、本実施例のテレビ電話装置の内部ブロック図を示す。テレビ電話装置１００は、制御部１１０、マイク１２０、スピーカ１３０、カメラ１４０、表示部１５０、入力部１６０、メモリ１７０を備えて構成される。
【００２７】
制御部１１０は、ＣＰＵ、ＲＡＭ、ＲＯＭ（それぞれ図示せず）を備えて構成されるマイクロプロセッサであり、ＲＡＭやＲＯＭに記憶された制御プログラムをＣＰＵにおいて実行することにより、以下に説明する各手段の動作を制御・統括する。
【００２８】
制御部１１０は、通信制御手段１１１、音声信号制御手段１１２、画像・映像制御手段１１３、表示制御手段１１４、留守番機能制御手段１１５、データ制御手段１１６を備えて構成される。
【００２９】
通信制御手段１１１は、テレビ電話装置１００が他のテレビ電話装置、或いは他の音声電話装置と通信を行う際の通信制御を行うためのものである。これにはシグナリングとデータの送受信とに関わる制御が含まれる。シグナリングには通信セッションの生成、確立、切断が含まれる。具体的には、ユーザが入力部１６０を操作して電話番号等を入力した際に、ＩＰ電話網に接続されたＳＩＰサーバ（図示せず）等に接続して通話相手先のテレビ電話装置の位置情報を入手するとともに、通話相手先のテレビ電話装置を呼出し、通話相手先が応答した場合に通信経路を確立することと、通話が終了した際にセッション切断メッセージ等を送信することによってセッションを終了することが含まれる。
【００３０】
データの送受信に関わる制御には、音声データ、映像データ、画像データをパケットに分割するＩＰパケット化と及びＩＰパケットの送信、有線ＬＡＮを介して受信したパケットを、正しい順序に並べ替えるとともに実際のデータ部分を抽出して組立てるＩＰパケットの受信及び組立てとが含まれる。
【００３１】
データをパケットとして送信する際には、所定データ長に分割された各データに送信元、宛先、順序、送信時刻、用途（ＩＰ電話の音声データ、映像データ、画像データ）を示すヘッダを付加する。また、受信したパケットは、ヘッダ部分を参照することによって、音声、映像、画像ごとに正しい順序で組立てられてゆき、音声信号処理手段１１２、画像・映像信号処理手段１１３に出力される。
【００３２】
音声信号処理手段１１２は、マイク１２０から入力された音声をＡ／Ｄ変換し、次いで音声コーデックによって圧縮し、圧縮されたデータを通信制御手段１１１に出力する。また、通信制御手段１１１において組立てられた音声データを音声コーデックによって伸張し、次いでＤ／Ａ変換してスピーカ１３０から出力する。
【００３３】
画像・映像信号処理手段１１３は、映像コーデックを備えており、カメラ１４０において撮影された映像を圧縮し、圧縮されたデータを通信制御手段１１１に出力する。また、通信制御手段１１１において組立てられた映像データを伸張し、表示制御手段１１４に出力する。また、画像・映像信号処理手段１１３は、画像コーデックを備えており、通信制御手段１１１において組立てられた画像データを伸張し、メモリ（制御部１１０のＲＡＭ）に展開する。
【００３４】
表示制御手段１１４は、カメラ１４０及び画像・映像信号処理手段１１３から出力された映像データを表示部１５０に表示可能な所定の態様に変換（拡大、縮小、画像を並べて配置する等）して表示部１５０のビデオメモリ（図示せず）上に展開し、表示部１５０に表示させるものである。
【００３５】
表示制御手段１１４は、また、電話の発信時に電話番号を入力するためのテンキーの画像や発信中のダイヤル番号等を生成して表示部に出力する。また、着信時にはデータ制御手段１１６からの出力に基づいて発信相手の画像データを表示部１５０に表示可能な所定の態様に変換して表示部１５０のビデオメモリ上に展開する。
【００３６】
表示制御手段１１４は、さらに、新着表示時に、留守番機能制御手段１１５からの出力に基づいて発信相手の写真データや映像、着信情報を所定の態様で表示部１５０のビデオメモリ上に展開する。
【００３７】
留守番機能制御手段１１５は、着信時に呼出し音が所定回数鳴ってもユーザが応答しなかった場合、或いは、着信時に所定時間経過してもユーザが応答しなかった場合に、通信制御手段１１１に回線接続を指示するとともにメモリ１７０に記憶した応答メッセージを出力することによって、発信相手のテレビ電話装置に応答メッセージを送信する。応答メッセージは動画及び音声を含むメッセージである。
【００３８】
留守番機能制御手段１１５は、また、応答メッセージを送信した後に、発信相手のテレビ電話装置から送信され、通信制御手段１１１によって受信された用件メッセージを、データ制御手段１１６によって取得された発信相手の電話番号に関連付けてメモリ１７０の用件メッセージ記憶部１７３に記憶させる。また、メモリ１７０の応答メッセージ登録部１７２に記憶された用件メッセージを新着表示として表示部１５０に表示するための表示指示を表示制御手段１１４に対して行う。
【００３９】
留守番機能制御手段１１５は、更に、着信があったもののユーザが応答せずに切断された着信の場合や、応答メッセージを送信したものの、発信相手からの用件メッセージを受信しなかった場合に、データ制御手段１１６が呼び信号から取得した発信相手の電話番号に関連付けられた画像をメモリ１７０から呼出して新着表示として表示部１５０に表示するための表示指示を表示制御手段１１４に対して行う。
【００４０】
留守番機能制御手段１１５は、テレビ電話装置１００の留守番電話モードの設定をユーザに求め、その設定をメモリ１７０に記憶させる。つまり、着信時に応答メッセージを送信するか否か、着信音が何回鳴動した時点で応答メッセージを送信するか、或いは、新着表示をどのように行うかの設定入力を求め、その設定をメモリ１７０に記憶させる。
【００４１】
データ制御手段１１６は、入力部１６０からの指示に基づいて、メモリ１７０に記憶されている電話帳へ電話番号と画像とを関連付けて記憶することによって電話帳の登録を行う。また、データ制御手段１１６は、着信時にユーザが応答しなかった場合に発信先へ送信される応答メッセージの登録を行う。応答メッセージは、予めカメラ１４０において撮影された動画とマイク１２０から入力された音声メッセージ、例えば「只今電話に出ることができません。用件とお名前をお話しください」というような内容の音声メッセージとからなる応答メッセージであり、発信相手に用件メッセージを残すように促すものである。
【００４２】
さらに、データ制御手段１１６は、着信時に、発信相手からの呼び信号に含まれる発信相手の電話番号を取得し、メモリ１７０に一旦記憶する。また、発信相手の電話番号がメモリ１７０に記憶されている電話帳に登録されているか検索を行い、登録されている場合には、当該電話番号に関連付けられた画像を抽出し、表示部１５０に表示するための表示指示を表示制御手段１１４に対して行う。電話帳に電話番号に関連付けられた画像が登録されていない場合は、電話番号に関連付けられている他の情報、例えば、氏名や電話番号等の表示を指示してもよい。
【００４３】
発信相手の電話番号がメモリ１７０に記憶されている電話帳に登録されていない場合には、データ制御手段１１６は、取得した電話番号のみを表示するように表示制御手段１１４に指示する。
【００４４】
マイク１２０において集音された音声は、音声信号に変換され、音声信号処理手段１１２に出力される。また、音声信号処理手段１１２から出力された音声信号はスピーカ１３０において音声に変換され出力される。マイク１２０とスピーカ１３０は、テレビ電話装置１００に固定的に設けられていてもよいが、ヘッドセットであってもよい。
【００４５】
カメラ１４０は、テレビ電話装置１００の通話中にその前にある被写体を撮影するためのものである。通常、テレビ電話装置１００の正面にはユーザが位置することになるので、カメラ１４０においてはユーザが被写体として撮影される。撮影された映像は、画像・映像信号処理手段１１３に出力される。
【００４６】
表示部１５０は液晶ディスプレイユニットであり、表示制御手段１１４によって表示部１５０のビデオメモリ上に展開された映像や画像を表示する。
【００４７】
入力部１６０は、表示部１５０に一体に形成されたタッチパネルの形をとる。ユーザは表示部１５０に表示された入力用のアイコンの部位に接触することで入力操作を行う。例えば、電話をかける場合に、入力部１６０に電話番号を入力するためのテンキーを表示し、ユーザはそのテンキーの該当する部分を指で押すことにより、番号を入力することができる。なお、入力部１６０は、上記に限られず、テレビ電話装置１００を構成する筐体の一部分に形成されたキーやボタンであってもよい。例えば、図３に示したテレビ電話装置１００では、筐体の下部に複数のキーやボタンが設けられており、入力部１６０を構成している。同時に、表示部１５０はタッチパネルを備えており、タッチパネルを操作することでも入力を行うことが可能である。
【００４８】
メモリ１７０は、フラッシュメモリ或いはハードディスク等である。メモリ１７０は、電話帳データ１７１、応答メッセージ登録部１７２、用件メッセージ記憶部１７３、モード設定記憶部１７４から構成されている。
【００４９】
電話帳データ１７１には、電話番号、名前、画像が関連付けられて記憶されるもので、データ制御手段１１６が入力部１６０からの指示に基づいて電話番号と画像とを関連付けて記憶することによって電話帳の登録を行う。
【００５０】
応答メッセージ登録部１７２は、着信時に応答しなかった場合に送信相手に自動的に送信する応答メッセージを記憶するものである。この応答メッセージは、予めカメラ１４０において撮影された動画とマイク１２０から入力された音声メッセージからなる応答メッセージであり、データ制御手段１１６によってメモリ１７０に登録される。
【００５１】
用件メッセージ記憶部１７３には、留守番機能制御手段１１５が応答メッセージを送信した後に受信した用件メッセージが、データ制御手段１１６によって取得された発信相手の電話番号、及び着信時刻と関連付けられて記憶される。この用件メッセージは複数記憶される。
【００５２】
モード設定記憶部１７４には、テレビ電話装置１００の留守番電話モードの設定が記憶される。すなわち、着信時に応答メッセージを送信するか否か、着信音が何回鳴動した時点で応答メッセージを送信するか、或いは、新着表示をどのように行うかの設定が記憶される。新着表示は、例えば、最新の着信を表示部１５０に表示する設定、複数の着信があった場合に、複数の送信相手の画像を表示部１５０に並べて表示する設定、送信相手の画像を数秒間ごとに順に表示する設定、用件メッセージの数秒間のみを表示する設定等であり、これらの設定はユーザが入力部１６０を操作することによって予め設定される。
【００５３】
次に、本実施例のテレビ電話装置１００の新着表示の動作について図２〜図６を参照して説明する。なお、図２は、本実施例のテレビ電話装置１００における新着表示動作のフローチャートである。また、図３は、本実施例のテレビ電話装置１００において着信があった場合のテレビ電話装置とその表示画面の一例を示す図である。図４は、本実施例のテレビ電話装置１００において着信があった場合のテレビ電話装置とその表示画面の他の例を示す図である。図５は、本実施例のテレビ電話装置１００における新着表示時のテレビ電話装置とその表示画面の一例を示す図である。図６は、本実施例のテレビ電話装置１００における新着表示時のテレビ電話装置とその表示画面の他の例を示す図である。
【００５４】
図２のステップＳ２０１において、データ制御手段１１６はメモリ１７０の電話帳データ１７１に電話番号と画像を関連付けて記憶する。画像は、通常、当該電話番号を所有する人の写真である。電話番号はユーザが入力部１６０を用いて入力し、画像はユーザが外部から入力したものを用いてもよい。或いは、過去の通話時の電話番号とその際に受信した映像から抽出した画像（写真）を関連付けて登録してもよい。電話帳データ１７１には、電話番号に対して更に、名前、メッセージデータが関連付けられて登録される。
【００５５】
ステップＳ２０２において、データ制御手段１１６はメモリ１７０の応答メッセージ登録部１７２に着信時にユーザが応答しなかった場合に発信先へ送信される応答メッセージの登録を行う。応答メッセージは、予めカメラ１４０において撮影された動画とマイク１２０から入力された音声メッセージ、例えば「只今電話に出ることができません。用件とお名前をお話しください」というような内容の音声メッセージとからなる応答メッセージであり、発信相手に用件メッセージを残すように促すものである。応答メッセージは、動画と音声メッセージに限られず、静止画像と音声メッセージであってもよいし、予めテレビ電話装置１００の応答メッセージ登録部１７２に登録された音声メッセージと画像或いは映像を含む応答ガイダンスであってもよい。
【００５６】
さらに、着信時に応答しなかった場合に上記の応答メッセージを送信するために、ユーザは入力部１６０を操作してメモリ１７０のモード設定記憶部１７４に留守番電話モードを設定する。この際、ユーザは、着信音が何回鳴り続きた時点で、或いは何秒間経過した時点で上記の応答メッセージを送信するか予め設定できるようにしてもよい。
【００５７】
ステップＳ２０３では、通信制御手段１１１が発信相手のテレビ電話装置からＩＰ電話網を介した接続要求の受信を待つことによって着信を待機する。次いで、着信があった場合には、ステップＳ２０４に進み、番号通知が行われたか否かを判定する。これは発信相手からの呼び信号に発信相手の電話番号が含まれるか否かをデータ制御手段１１６が判断することによって行われる。ユーザの使用するテレビ電話装置１００が番号通知サービスの契約を行っていないとき、或いは発信相手が意図的に電話番号を通知しないときには、発信相手からの呼び信号には電話番号が含まれていない。この場合、ステップＳ２０６に進む。
【００５８】
発信相手からの呼び信号に発信相手の電話番号が含まれているとデータ制御手段１１６が判断した場合、ステップＳ２０５に進み、データ制御手段１１６は、メモリ１７０の電話帳データ１７１を参照し、発信相手の電話番号を検索する。発信相手の電話番号が登録されている場合、データ制御手段１１６は発信相手の電話番号に関連付けられた画像（写真）、名前を抽出する。
【００５９】
ステップＳ２０６において、表示制御手段１１４は着信を表示するための画像を作成して表示部１５０のビデオメモリ上に展開する。ステップＳ２０５において発信相手の電話番号を取得し、当該電話番号に関連付けられた画像、名前を取得できた場合には、表示制御手段１１４は、取得した電話番号、画像、名前を所定の表示形式になるように合成し、表示部１５０のビデオメモリ上に展開する。
【００６０】
図３を参照して、このときのテレビ電話装置１００の表示部１５０に表示された着信画像を説明する。表示部１５０の上部には、データ制御手段１１６がメモリ１７０から取得した発信相手の名前の文字表示３１０、及び電話番号表示３２０がなされ、表示部の中央部分にはデータ制御手段１１６がメモリ１７０から取得した画像３３０が表示される。さらに、表示部１５０の下部には着信中であることが分かるように「テレビ電話着信中」等の文字表示３４０が表示される。
【００６１】
ステップＳ２０５において発信相手に対応する電話番号が登録されていなかった場合、或いは、電話番号は登録されているものの画像が関連付けて記憶されていなかった場合は、表示部１５０には画像を表示することはせず、電話番号と、電話番号に関連付けられた名前を取得できた場合には名前を表示部１５０に表示する。
【００６２】
また、番号通知を行わない着信については、表示制御手段１１４は、図４のような着信画像を表示部１５０に表示する。
【００６３】
ステップＳ２０７において、通信制御手段１１１は、着信に対して応答したか否かを判断する。ユーザが入力部１６０を操作して着信に応答する（表示部１５０に表示された着信画像に触れる）と、通常のテレビ電話通話を開始し、本実施例の新着表示動作は終了する。
【００６４】
ステップＳ２０７において、ユーザが着信に対して応答しない場合、ステップＳ２０８に進み、留守番機能制御手段１１５はメモリ１７０のモード設定記憶部１７４を参照し、留守番電話モードが設定されているかを判定する。留守番電話モードが設定されていない場合は、本実施例の新着表示動作は終了する。
【００６５】
留守番電話モードが設定されている場合、留守番機能制御手段１１５は、メモリ１７０のモード設定記憶部１７４を参照して、予め設定された回数着信音が鳴るのを待ってから、或いは、予め設定された時間待ってからステップＳ２０９に進み、メモリ１７０の応答メッセージ登録部１７２に登録された応答メッセージを通信制御手段１１１に出力し、発信相手に送信する。応答メッセージは前述したように、動画と音声メッセージで構成される。
【００６６】
続くステップＳ２１０において、留守番機能制御手段１１５は発信相手からの用件メッセージの受信があるか否かを判定する。用件メッセージがあると判定すると、ステップＳ２１１において、留守番機能制御手段１１５は、通信制御手段１１１を介して受信した用件メッセージを、メモリ１７０の用件メッセージ記憶部１７３に記憶する。この際、着信時にデータ制御手段１１６が発信相手の電話番号を取得していればその電話番号と用件メッセージを関連付けて用件メッセージ記憶部１７３に出力して記憶する。
【００６７】
ステップＳ２１２において、留守番機能制御手段１１５は、メモリ１７０の応答メッセージ登録部１７２に記憶された用件メッセージを新着表示として表示部１５０に表示するための表示指示を画像・映像制御手段１１３及び表示制御手段１１４に対して行い、本実施例の新着表示動作を終了する。
【００６８】
具体的には、メモリ１７０の応答メッセージ登録部１７２に記憶された用件メッセージから、画像・映像制御手段１１３が画像をキャプチャし、表示制御手段１１４に出力する。加えて、表示制御手段１１４は、キャプチャされた画像と、用件メッセージを記憶した日時、データ制御手段１１６が着信時に電話番号を取得できた場合には電話番号と名前を所定の表示態様に構成し、表示部１５０のビデオメモリ上に展開する。
【００６９】
図５を参照して、このときのテレビ電話装置１００の表示部１５０に表示される新着表示画像を説明する。表示部１５０の左側には用件メッセージからキャプチャされた画像５１０が表示される。また、表示部１５０の右側には、「着信がありました」のような着信があった旨を示す表示５２０、用件メッセージを記憶した日時、電話番号、名前等の表示５３０、さらに、用件メッセージが複数記憶されている場合にはその件数を示す表示５４０が表示される。
【００７０】
データ制御手段１１６が着信時に電話番号を取得できなかった場合には電話番号と名前は表示されず、用件メッセージからキャプチャされた画像５１０と着信があった旨をしめす表示５２０、及びその日時の表示５３０で表示画面が構成される。
【００７１】
ステップＳ２１０において、留守番機能制御手段１１５が発信相手からの用件メッセージの受信がなかったと判定した場合（発信相手が用件メッセージを残さずに回線を切断した場合）、ステップＳ２１３に進み、着信時にデータ制御手段１１６が発信相手の電話番号を取得した場合には、留守番機能制御手段１１５はその電話番号と着信日時を着信表示として表示部１５０に表示するための表示指示を表示制御手段１１４に対して行う。
【００７２】
ここで、発信相手の電話番号が取得されている場合には、留守番機能制御手段１１５はデータ制御手段１１６にメモリ１７０の電話帳データ１７１を参照して電話番号に関連付けられた画像を取得して表示制御手段１１４に出力させる指示を行い、処理を終了する。
【００７３】
これにより、発信相手が用件メッセージを残さなかった場合でも、図５に示すような新着表示を表示部１５０に対して行うことが可能となる。すなわち、図５の表示部１５０の左側には、用件メッセージからキャプチャされた画像に代えて電話帳データ１７１から取得された画像５１０が表示されることになる。
【００７４】
なお、データ制御手段１１６が着信時に発信相手の電話番号を取得できず、且つ発信相手が用件メッセージを残さなかった場合、発信相手を確認できないので、新着表示は行わない。
【００７５】
図５に示したように、本実施例では、新着表示を行う方法として、用件メッセージからキャプチャされた画像、或いは発信相手の電話番号に関連付けられた画像を表示部１５０に表示することによって、ユーザは誰からの用件メッセージが残されているのか、或いは誰からの着信があったのかを入力部１６０を操作することなく表示部１５０を視認するだけで瞬時に識別することができるようになる。
【００７６】
図５では、新着表示を行う方法として、用件メッセージからキャプチャされた画像、或いは発信相手の電話番号に関連付けられた画像と、それに関連する文字情報（日時、名前、電話番号等）で表示部１５０に表示する表示画面を構成していた。しかしながら、本発明はこれに限られず、画像のみを表示するようにしてもよい。その場合、テレビ電話装置１００のフォトフレーム機能で作成したオリジナルのフレームに上記の画像をはめ込み表示させる。
【００７７】
さらに、図５では、新着表示を行う方法として、用件メッセージからキャプチャされた画像、或いは発信相手の電話番号に関連付けられた静止画像を表示部１５０に表示していた。しかしながら、本発明はこれに限られず、用件メッセージから所定の時間だけキャプチャされた動画であってもよいし、発信相手の電話番号に関連付けられてメモリ１７０の電話帳データ１７１に記憶された動画であってもよい。
【００７８】
さらに、着信が複数あった場合に、それぞれの着信に対する用件メッセージ、或いは着信のあった電話番号を用件メッセージ記憶部１７３に記憶しておき、最新に記憶された用件メッセージからキャプチャされた画像、或いは最新に記憶された電話番号に関連付けられた画像を表示部１５０に表示するようにしてもよい。
【００７９】
また、着信が複数あった場合に、それぞれの着信に対する用件メッセージ、或いは着信のあった電話番号を用件メッセージ記憶部１７３に記憶しておき、それぞれの用件メッセージからキャプチャされた画像、或いは着信時に記憶された電話番号に関連付けられた画像を表示部１５０に並べて表示するようにしてもよい。図６では、最新に記憶された用件メッセージからキャプチャされた画像６１０、或いは最新に着信として記憶された電話番号に関連付けられた画像６１０が、それよりも前に記憶された用件メッセージからキャプチャされた複数の画像６４０、或いは以前に記憶された着信電話番号に関連付けられた画像６４０が並べて表示してある。最新に記憶された用件メッセージからキャプチャされた画像６１０、或いは最新の着信電話番号に関連付けられた画像６１０は、他の画像６４０よりも大きく表示されている。
【００８０】
さらに、着信が複数あった場合に、それぞれの用件メッセージからキャプチャされた画像や着信電話番号に関連付けられた画像を数秒間ずつ順に表示するようにしてもよい。
【符号の説明】
【００８１】
１００    テレビ電話装置
１１１    通信制御手段
１１２    音声信号制御手段
１１３    画像・映像制御手段
１１４    表示制御手段
１１５    留守番機能制御手段
１１６    データ制御手段
１２０    マイク
１３０    スピーカ
１４０    カメラ
１５０    表示部
１６０    入力部
１７０    メモリ
１７１    電話帳データ
１７２    応答メッセージ登録部
１７３    用件メッセージ記憶部
１７４    モード設定記憶部
【図１】
2012156914.tif 000003
【図２】
2012156914.tif 000004
【図３】
2012156914.tif 000005
【図４】
2012156914.tif 000006
【図５】
2012156914.tif 000007
【図６】
2012156914.tif 000008